【手続補正書】
【提出日】令和3年7月15日(2021.7.15)
【手続補正１】
【補正対象書類名】特許請求の範囲
【補正対象項目名】全文
【補正方法】変更
【補正の内容】
【特許請求の範囲】
【請求項１】
好ましくは担体と共にある有益なダニ種の集団と、前記有益なダニのための食料源とを保持するダニ区画を備える、有益なダニを放出するシステムであって、前記ダニ区画は、前記ダニ区画と境を接する内面、前記ダニ区画の外部の外面を有し、かつ、≦５、例えば≦４、≦３、≦２．５ｇ／ｍ２＊２４時間の水蒸気透過率を有するガスバリヤー性材料を含む、封入材により囲まれており、前記ダニ区画はｘｍｍ３の容積を有し、ｘは３＊１０３から６００＊１０３ｍｍ３の間であり、前記システムはさらに前記ダニ区画を前記ダニ区画の外部の空間と連絡するいくつかの連絡部を備えており、前記いくつかの連絡部はそれぞれ面積ｙを有し、ｙは０．１から４．０ｍｍ２の間であり、前記いくつかの連絡部の面積の総計はΣｙであり、５＊１０３ｍｍ≦ｘ／Σｙ≦７０＊１０３ｍｍ、好ましくは６＊１０３ｍｍ≦ｘ／Σｙ≦６０＊１０３ｍｍ、より好ましくは７＊１０３ｍｍ≦ｘ／Σｙ≦５０＊１０３ｍｍであり、
前記封入材の前記外面が水膜を維持する材料を含むことを特徴とする、システム。
【請求項２】
選択される前記ガスバリヤー性材料が、ポリマー−金属積層体、好ましくは金属化されたポリマーフィルムを含む積層フィルムなどのポリマー−金属積層フィルムを含む、請求項１に記載のシステム。
【請求項３】
前記封入材が前記ガスバリヤー性材料を含む積層体であり、前記水膜維持材料が吸水性多孔質材料、例えば吸水性微細孔材料、好ましくは多孔質繊維材料から選択される吸水性多孔質材料、好ましくは圧搾植物繊維を含む多孔質材料、より好ましくは圧搾セルロース繊維を含む多孔質材料、例えば紙である、請求項１または２に記載のシステム。
【請求項４】
前記外面が、水が最大でも６０°、例えば≦６０°、≦５５°、≦５０°、≦４５°、≦４０°、≦３５°、≦３０°、≦３５°、≦３０°、≦２５°、≦２０°、≦１５°、≦１０°、≦５°のヤング接触角θを有するように選択される、請求項１または２に記載のシステム。
【請求項５】
前記水膜を維持する材料が、少なくとも４３ダイン／ｃｍ、例えば≧４３、≧４４、≧４５、≧５０、≧５５、≧６０、≧６５、≧７０、≧７５ダイン／ｃｍの表面エネルギーを有する材料である、請求項１もしくは２または４に記載のシステム。
【請求項６】
前記有益なダニ種が、
ｉ）アムブリセイウス属、例えばアンダソニガブリダニ、アムブリセイウス・アエリアリス、スワルスキーカブリダニ、アムブリセイウス・ヘルビコルスまたはラーゴカブリダニ、ユーセイウス属、例えばユーセイウス・フィンランディクス、ユーセイウス・ヒビスキ、ユーセイウス・オバリス、ユーセイウス・ビクトリエンシス、ユーセイウス・スティピュラツス、ユーセイウス・スクタリス、ユーセイウス・ツラレンシス、ユーセイウス・アドエンシス、ユーセイウス・コンコルディス、ユーセイウス・ホー、ユーセイウス・ガリクス、ユーセイウス・シトリフォリウスまたはユーセイウス・シトリ、イフィセイオデス属、例えばイフィセイオデス・ズルアギ、イフィセイウス属、例えばイフィセイウス・デゲネランス、ネオセイウルス属、例えばネオセイウルス・バーケリ、ネオセイウルス・カリフォルニクス、ネオセイウルス・ククメリス、ネオセイウルス・ロンギスピノサス、ネオセイウルス・ウォメルスレイイ、ネオセイウルス・イダエウス、ネオセイウルス・アノニムス、ネオセイウルス・パスパリボルス、ネオセイウルス・レドゥクツスまたはネオセイウルス・ファラシス、ネオセイウルス・バラキ、アムブリドロマルス属、例えばアムブリドロマルス・リモニカス、チフロドロマルス属、例えばチフロドロマルス・アリポ、チフロドロマルス・ライラエまたはチフロドロマルス・ペレグリヌス、トランセイウス属、例えばトランセイウス・モントドレンシス、フィトセイウルス属、例えばチリカブリダニ、フィトセイウルス・マクロピリス、フィトセイウルス・ロンギペス、フィトセイウルス・フラガリアエなどのアムブリセイイナエ亜科；
ガレンドロムス属、例えばガレンドロムス・オクシデンタリス、メタセイウルス属、例えばメタセイウルス・フルメニス、ギナエセイウ属、例えばギナエセイウス・リツリボルス、チフロドロムス属、例えばチフロドロムス・エクスヒララテス、チフロドロムス・フイアラツス、チフロドロムス・レッキ、チフロドロムス・トランスバーレンシス、チフロドロムス・ピリ、チフロドロムス・ドレーナエまたはチフロドロムス・アチアサエなどのカタカブリダニ亜科
などのカブリダニ科
ｉｉ）プロクトラエラプス・ピグマエウス（ミュラー）などのプロクトラエラプス属、ブラッチソシウス属、例えばブラッチソシウス・タルサリス（ベルレース）、タンカンマヨイダニ、ラシオセイウス属、例えばラシオセイウス・フィメトルム・カーグ、ラシオセイウス・フロリデンシス・ベルレース、ラシオセイウス・ベスピノサス・エバンス、ラシオセイウス・デンタツス・フォックス、ラシオセイウス・スカプラツス（ケネット）、ラシオセイウス・アチアサエ・ナワー＆ナスル、アークトセイウス属、例えばアークトセイウス・セミシッサス（ベルレース）、プロトガマセルス属、例えばプロトガマセルス・ディオコルス・マンソンなどのマヨイダニ科；
ｉｉｉ）ストラチオラエラプス属、例えばストラチオラエラプス・シミツス（ウォマースレイ）、ガエオラエラプス属、例えばガエオラエラプス・アキュレイファー（カネストリニ）、アンドロラエラプス属、例えばアンドロラエラプス・カザリス（ベルレース）、コスモラエラプス属、例えばコスモラエラプス・クラビガー、コスモラエラプス・ジャボチカバレンシスなどのトゲダニ科；
ｉｖ）マクロケレス属、例えばマクロケレス・ロブスツルス（ベルレース）、マクロケレス・ムスカエドメスティカエ（スコポリ）、マクロケレス・マトリウス（フル）などのハエダニ科；
ｖ）ペルガマサス属、例えばペルガマサス・キスキリアルム・カネストリニ、パラシツス属、例えばパラシツス・フィメトルム（ベルレース）、パラシツス・ビツベロサス、パラシツス・ミコフィルス、パラシツス・マンミラツスなどのヤドリダニ科；
などのメソスティグマチドダニ種
から選択されるようなメソスティグマチドダニ種、
ｖｉ）ホメオプロネマツス属、例えばトマトツメナシコハリダニ、ティデウス属、例えばティデウス・ランビ（ベーカー）、ティデウス・カウダツス（ジュゲス）、プロネマツス属、例えばプロネマツス・ユビキタス（マックグレゴー）などのコハリダニ科；
ｖｉｉ）ケイレツス属、例えばホソツメダニ、クワガタツメダニなどのツメダニ類；
ｖｉｉｉ）コレオシルス属、例えばコレオシルス・シンプレクス（ユーイング）、クナクサ属、例えばクナクサ・セチロストリス（ヘルマン）などのオソイダニ科；
ｉｘ）バラウスチウム属、例えばバラウスチウム・プトマニ・スミレイ、バラウスチウム・メジカゴエンセ・マイヤー＆ライク、カベアナタカラダニ、バラウスチウム・ヘルナンデジ、バラウスチウム・リーンデリなどのタカラダニ科；
ｘ）アギステムス属、例えばアギステムス・エクセルツス・ゴンザレズ、またはゼッツェリア属、例えばゼッツェリア・マリ（ユーイング）などのナガヒシダニ科
ｘｉ）アニスティス属、例えばハモリダニなどのハモリダニ科
などのプロスティグマチドダニ種
から選択される捕食性ダニ種などの、捕食性ダニ種から選択される、請求項１〜５のいずれか１項に記載のシステム。
【請求項７】
前記有益なダニ種が、
ｉ）サトウダニ属、例えばサトウダニなどのサトウダニ科；
ｉｉ）ヒョウヒダニ属、例えば、ヤケヒョウヒダニ、コナヒョウヒダニ；ユーログリファス属、例えばユーログリファス・ロンギアー、シワダニ；ピログリファス属、例えばピログリファス・アフリカヌスなどのチリダニ科；
ｉｉｉ）ディアメゾグリファス属、例えばディアメゾグリファス・インテルメディユーサー、ステノグリファス属、例えばステノグリファス・プルミガー、ステノグリファス・カネストリニイ、ステノグリファス・パルミファーなどのステノグリフィナエ亜科；ブロミア属、例えばブロミア・フリーマニまたはグリシファガス属、例えばグリシファガス・オーナツス、グリシファガス・ビカウダツス、チリニクダニ、イエニクダニ、またはレピドグリファス属、例えばレピドグリファス・ミカエリ、レピドグリファス・フスティファー、サヤアシニクダニ、またはオーストログリシファガス属、例えばオーストログリシファガス・ゲニクラタスなどのグリシファギナエ亜科；アエログリファス属（Ａｅｒｏｇｌｙｐｈｕｓ）、例えばアエログリファス・ロブスツス（Ａｅｒｏｇｌｙｐｈｕｓ  ｒｏｂｕｓｔｕｓ）などのアエログリフィナエ亜科（Ａｅｒｏｇｌｙｐｈｉｎａｅ）；ゴヒエリア属、例えばゴヒエリア・フスカなどのラビドフォリナエ亜科；またはコプログリファス属、例えばコプログリファス・スタンメリなどのニクテリグリフィナエ亜科またはコルトグリファス属、例えばコルトグリファス・アルクアツスなどのコルトグリフィダエ亜科、より好ましくはグリシファギナエ亜科から選択され、より好ましくはグリシファガス属またはレピドグリファス属から選択され、最も好ましくはイエニクダニまたはサヤアシニクダニから選択されるようなニクダニ科；
ｉｖ）チロファガス属、例えばケナガコナダニ、チロファガス・トロピクス、アカルス属、例えばアシブトコナダニ、アカルス・ファリス、アカルス・グラシリス；ラルドグリファス属、例えばコウノホシカダニ、ムシクイコナダニなどのサイレオファガス属；アレウログリファス属、例えばムギコナダニなどのコナダニ科；
ｖ）スイダシア・ネスビチ、スイダシア・ポンチフィカまたはネッタイチビコナダニなどのスイダシア属などのチビコナダニ科
から選択されるダニ種などのコナダニ亜目のダニ種から選択される、請求項１〜５のいずれか１項に記載のシステム。
【請求項８】
前記有益なダニ種が捕食性ダニ種であり、前記捕食性ダニ種の前記食料源がコナダニ亜目から選択される餌のダニ種を含む、請求項１〜６のいずれか１項に記載のシステム。
【請求項９】
有益なダニ種を標的領域に導入するための、請求項１〜８のいずれか１項に記載のシステムの使用。
【請求項１０】
捕食性の節足動物種の餌となり得る害虫を防除する方法であって、前記害虫を防除しようとする標的領域に請求項１〜５のいずれか１項に記載のシステムのいくつかを供給するステップを含み、前記捕食性の節足動物種が捕食性ダニ種であり、請求項１〜５のいずれか１項に記載の前記システムが前記有益なダニ集団として前記捕食性ダニ種の集団を含み、または前記捕食性の節足動物種が前記標的領域に存在し、請求項１〜５のいずれか１項に記載の前記システムが前記捕食性の節足動物種の食料源として適したアスティグマチドダニ種の集団を前記有益なダニ集団として含む、方法。
【請求項１１】
捕食性の節足動物種の餌となり得る害虫が寄生しやすい非ヒト生物から農畜産物を生産する方法であって、
−ある領域、すなわち標的領域に、いくつかの非ヒト生物を供給するステップと；
−前記標的領域に、またはそれに近接して、請求項１〜５のいずれか１項に記載のシステムのいくつかを供給するステップと；
−前記農畜産物を生産させるために、前記いくつかの非ヒト生物に適切な栄養物および環境条件を与えるステップと；
を含み、
前記捕食性の節足動物種が捕食性ダニ種であり、請求項１〜５のいずれか１項に記載の前記システムが前記有益なダニ集団として前記捕食性ダニ種の集団を含み、または前記捕食性の節足動物種が前記標的領域内に存在し、請求項１〜５のいずれか１項に記載の前記システムが前記捕食性の節足動物種のための食料源として適切なアスティグマチドダニ種の集団を前記有益なダニ集団として含む、方法。
【請求項１２】
前記いくつかの非ヒト生物が、作物種、鳥類種、好ましくは家禽種、家畜哺乳類から選択される、請求項１１に記載の方法。
【請求項１３】
≦５ｇ／ｍ２＊２４時間の水蒸気透過率を有する金属化されたポリマーフィルム、および吸水性多孔質材料、好ましくは多孔質繊維材料から選択される吸水性多孔質材料、好ましくは圧搾植物繊維を含む多孔質材料、より好ましくは圧搾セルロース繊維を含む多孔質材料、例えば紙の外層を含む積層体の、有益なダニを保持するダニ区画を含む有益なダニを放出するシステム、例えば小袋の構築材料としての使用であって、前記積層体は繊維材料の前記外層が前記システムの外部となるように使用され、有益なダニを放出する前記システムが好ましくは請求項１〜８のいずれか１項に記載のシステムである、使用。
【請求項１４】
有益なダニを放出するシステムを製造する方法であって、
−第１の表面、すなわち内面、および第２の表面、すなわち外面を有し、≦５ｇ／ｍ２＊２４時間の水蒸気透過率を有するガスバリヤー性材料を含む材料、好ましくはシート材料、すなわち封入材を準備するステップと、
ここで、前記外面が水膜生成材料を含み、水が前記水膜生成材料上に導入されたとき水膜を形成し；
−前記封入材から、有益なダニを保持するのに適した区画であるダニ区画を含む構造体、例えば小袋を構築するステップと、
ここで、前記構造体が、前記第１の表面が前記ダニ区画に面するように構築され；
−前記ダニ区画内にいくつかの有益なダニを配置するステップと
を含み、
有益なダニを放出する前記システムが好ましくは請求項１〜８のいずれか１項に記載のシステムである、方法。